(57)【要約】      （修正有）【課題】車椅子の肘掛部に容易に取り付けることが可能で、従来無かったテーブル面の高さ調整機能と、取り外しなしに車椅子への乗降が可能である車椅子用テーブルを提供する。【解決手段】テーブル本体と、取付ガイド２、３とをそれらの上に固設した軸受け５、テーブル本体１の両側下面に固設した軸受け５及び両側の２軸連結器４Ａ、４Ｂを介して連結してなる。２軸連結器４Ａ、４Ｂは、二本の平行な軸６Ａ、６Ｂ又は７Ａ、７Ｂを一端のＵ字形部で連結して構成し、軸６Ａ、７Ａ、７ＢのＵ字形部側に突起部を有する押さえワッシャーを固設し、軸６Ｂの同じ位置には突起部を有しないスペースワッシャーを固設し、軸６Ａ、６Ｂ、７Ａ、７Ｂの外端側には受けワッシャーを着脱自在に配置し、かつその更に外端側には締め付けナット８を着脱自在に螺合したものである。【選択図】図５
2015084802.tif 000002
【特許請求の範囲】
【請求項１】
テーブル本体と、テーブル取付ガイドとを２軸連結器で連結することにより、２軸の作用で取り付け幅の調整、及びテーブル面高さの調整が可能であることを特徴とする車椅子用着脱式テーブル。
【請求項２】
２軸連結器の一方の軸を支点として、テーブルの回転移動を可能とすることを特徴とする請求項１に記載の車椅子用着脱式テーブル。
【請求項３】
２軸連結器に設けた押さえワッシャーに突起部を設けることで、２軸連結器の軸が軸受に回動不動に固定されることを特徴とする請求項１又は２に記載の車椅子用着脱式テーブル。
【発明の詳細な説明】
【技術分野】
【０００１】
本発明は、車椅子に設置される車椅子用着脱式テーブルに関する。
【背景技術】
【０００２】
車椅子利用時に、食事や軽作業、読書などをする際には、脚の上を利用するなどにより、傾いた姿勢を続けることによる疲労や、食事や作業のし難くさなどから、車椅子に取り付けられるテーブルが、利用者から要望されている。
【０００３】
車椅子に取り付けるテーブルに関しては、例えば、特許文献１特開２００７−６９２５号公報には、車椅子に載せて使用する着脱式のテーブルであって、テーブルの前部をアームパイプに添わせて、車椅子本体フレームに付設した左右一対のスライドレールに掛止し、後部を左右のアームレストに係合して、前後スライド移動可能に装着したことを特徴とする車椅子用テーブルが記載されているが、テーブルの取り付けにスライドレールの付設が必要となり、テーブル取り付け作業が煩雑となる課題がある。
【０００４】
特開文献２特開２０１３−１１１０９１号公報には、車椅子左右のアームレストに架設されて車椅子に設置される車椅子用テーブルであって、車椅子の使用者側に切欠部を設けたテーブル本体と、このテーブル本体の下面に取付けられ、前記左右のアームレストにそれぞれスライド係合する長尺状の係合レールを左右に備え、この左右の係合レールは、前記左右のアームレストの外方側で前記左右のアームレストの側面に沿う長尺状の側面ガイドと、この側面ガイドの下端部から延びて、前記左右のアームレストの下面に沿う下面ガイドとを、それぞれ備える車椅子用テーブルが記載されているが、側面ガイドの取り付けに、アームレストの幅に合う螺合穴に羅合設置と下面ガイドとアームレストの隙間調整を要し、更にテーブル面高さもアームレストに準ずる高さに限られ、椅子に座る際はテーブルを取り外す必要がある。
【先行技術文献】
【特許文献】
【０００５】
【特許文献１】特開２００７−６９２５号公報（図１、図４）
【特許文献２】特開２０１３−１１１０９１号公報（図６）
【発明の概要】
【発明が解決しようとする課題】
【０００６】
車椅子の肘掛部に載せて固定するテーブルにおいて、取り付けが容易で、従来無かったテーブル面の高さ調整機能と、車椅子へ乗降の際にテーブルを取り外すことなく、テーブルの回転移動により座面を開放する機能を備えた車椅子用テーブルを提供することを目的とする。
【課題を解決するための手段】
【０００７】
テーブル本体を車椅子に設置し固定させるための取付ガイドを設け、テーブル本体と取付ガイドとを、２つの軸を持つ連結器（２軸連結器）をもって連結し、テーブルと取付ガイドを一体化する。
【０００８】
テーブル本体裏面には、２軸連結器を取り付けるための軸受けを、左端部の前後に２箇所設け、更に右端部にも同様に２箇所設けて、計４箇所を設ける。
【０００９】
車椅子への乗降時の座面開放には、テーブルの回転移動を行うために、左右に用いる取付ガイドの一方を他の一方より長さを短くし、長い方を支点側とし、短い方を移動側とする。各々の取付ガイドの上面には、２軸連結器と連結するための軸受けを前後２箇所設け、取付位置はテーブルに設けた軸受けの位置と合致するようにする。
【００１０】
２軸連結器は両端にネジ加工を施しコの字状、又はＵの字状に成形して２軸を構成している。２軸連結器の軸間の長さを任意に調整又は選択することで、テーブル面の高さを任意に調整又は選択することができる。
【００１１】
２軸連結器の構造は、前記コの字状又はＵの字状に代えて、軸支えプレートを利用し、当該軸支えプレートに複数の軸差込口を設け、必要な軸間長さに応じてＡ軸及びＢ軸を差込み、ナットで締め付け固定した構造を採用することもできる。
【発明の効果】
【００１２】
本発明により車椅子にあらかじめテーブルを取り付けておけば、テーブルを回転移動することで、乗降することができ、利便性が向上する。
【００１３】
座幅が異なる車椅子であっても、２軸連結器が幅の調節機能を有しているため、既存の車椅子の寸法であれば、取付が可能である。
【００１４】
２軸連結器の軸間の長さを任意に調整又は選択することで、テーブル面の高さを任意に調整又は選択することも可能である。
【図面の簡単な説明】
【００１５】
【図１】テーブルの一例の平面図
【図２】テーブルの一例の側面図
【図３】取付ガイドの一例の平面図と側面図
【図４】２軸連結器の一例の平面図
【図５】車椅子肘掛部にテーブルを取り付けた一例の正面図
【図６】テーブルを回転移動させた状態の正面図
【発明を実施するための形態】
【００１６】
以下、図を用いて車椅子用テーブル（以降、テーブルと称する場合がある）を例示説明する。
【実施例１】
【００１７】
テーブル本体1と取り付けガイド２及び３とを、２軸連結器４Ａ、４Ｂをもって連結させ、組み立てが完成した後に、車椅子肘掛部にテーブルを載せ、取り付けガイドを肘掛部に取り付け固定バンドで締め付け固定する。
【００１８】
テーブル本体1と取付ガイドとの組み立ては、テーブルを回転移動時の支点となる側に取付ガイド２を、移動する側に取付ガイド３を取り付け、支点となる側に２軸連結器４Ａを、移動する側に２軸連結器４Ｂを用い、テーブルに備えた軸受５と、取付ガイドに備えた軸受５に２軸連結器の軸６Ａ，６Ｂ、７Ａ、７Ｂ各々の軸を差込み、固定ナットにて仮止めをしておく。
【００１９】
軸受５は、例えば矩形の立方体で構成され、中心部に孔を設け２軸連結器４Ａ、４Ｂの軸が貫通されるように構成されている。軸受のテーブル又は取付ガイドへの固定は、接着剤、ネジなどを利用することができる。
【００２０】
軸受への２軸連結器の取付は、軸受の孔に２軸連結器の軸を通し、ナットで固定するものであるが、２軸連結器Ａには、手前のナット側調整軸６Ａに受けワッシャー１１を設け、奥側の一方には押さえワッシャー９を、もう一方の調整軸６Ｂにはスペースワッシャー１０が設けられている。押さえワッシャー９とスペースワッシャー１０は、調整軸６Ａ、６Ｂに回動不動に固定されており、ナット８を締め付けることで、受けワッシャー１１と押さえワッシャー９にて、もう一方の受けワッシャー１１とスペースワッシャー１０において、軸受を挟み込んで軸受に固定される。また、押さえワッシャー９には複数個所の突起部を設け、この突起部が軸受に入り込むことで、軸の回動を防止しテーブルの位置を安定的に維持することが可能となる。また、スペースワッシャー１０には、突起部を設けず軸との回動を可能にすることで、当該軸を支点としてテーブルの回転移動が可能となるよう構成している。
【００２１】
２軸連結器Ｂには、手前のナット側調整軸７Ａに受けワッシャー１１を設け、奥側には押さえワッシャー９を設け、もう一方の調整軸７Ｂにも同様に、手前のナット側軸に受けワッシャー１１を設け、奥側には押さえワッシャー９を設ける。押さえワッシャー９は、調整軸７Ａ，７Ｂに回動不動に固定されており、ナット８を締め付けることで、受けワッシャー１１と押さえワッシャー９にて、軸受を挟み込んで軸受に固定される。また、押さえワッシャー９には複数個所の突起部を設け、この突起部が軸受に入り込むことで、軸の回動を防止しテーブルの位置を安定的に維持することが可能となる。２軸連結器Ｂが設置される側は、回転移動時の移動側となるため、２軸共軸受に固定される構成としてる。
【００２２】
テーブル1を車椅子に取り付けるには、取付ガイドの仮止めが完了したテーブルを椅子の肘掛にのせ、左右の取付ガイドが肘掛部の真上になるように、テーブルを回転移動の支点となる側の取付ガイド２と車椅子肘掛部を固定バンドにより固定する。その後に移動する側の取付ガイド３を、車椅子肘掛部の真上になるよう、取付ガイドを左右に移動調整し、移動する側の取付ガイド３と車椅子肘掛部を固定バンドで固定する。
【００２３】
車椅子に固定されたテーブル１は、２軸連結器が仮止めの状態であるため、テーブルが椅子の中央になるようテーブルを左右に移動調整後、ナット８を締め付けて固定する。
【００２４】
車椅子にテーブル１の取り付けが完了すると、車椅子への乗降がテーブル１により閉ざされるため、取付ガイド３の固定バンドを外し、テーブル１を回転移動して車椅子座面を開放する。次に車椅子に座りテーブル１を回転移動して戻し、固定バンドにて肘掛部に取付ガイドを固定する。
【００２５】
テーブル１は上面に物などを載せることができる、車椅子にテーブルを取り付けた状態で自走又は移動を行うことができる。
【００２６】
車椅子の座幅は車椅子の製造会社や品種によって複数のサイズがあり、座幅が異ると肘掛幅も異なる。現状はそのサイズが３８ｃｍから４２ｃｍまであるが、２軸連結器の幅調整機能により肘掛の幅の違いにも順応したテーブルを提供することができる。  
【実施例２】
【００２７】
２軸連結器の構造は、図示しないがコの字状又はＵの字状に代えて、軸支えプレートを利用し、当該軸支えプレートに複数の軸差込口を設け、必要な軸間長さに応じてＡ軸及びＢ軸を差込み、ナットで締め付け固定した構造を採用することもできる。
【産業上の利用可能性】
【００２８】
本テーブルは、工業生産が可能であり、完成した製品は、医療施設や介護施設での利用が可能である。
【符号の説明】
【００２９】
１  テーブル本体
２  取付ガイド（長尺）
３  取付ガイド（短尺）
４Ａ  ２軸連結器（支点側）
４Ｂ  ２軸連結器（移動側）
５  軸受け
6Ａ  調整軸兼支点軸
6Ｂ  調整軸
7Ａ  調整軸
7Ｂ  調整軸
８  締め付けナット
９  押さえワッシャー
１０  スペースワッシャー
１１  受けワッシャー
１２  固定バンド
【図１】
2015084802.tif 000003
【図２】
2015084802.tif 000004
【図３】
2015084802.tif 000005
【図４】
2015084802.tif 000006
【図５】
2015084802.tif 000007
【図６】
2015084802.tif 000008
【手続補正書】
【提出日】平成26年2月21日(2014.2.21)
【手続補正１】
【補正対象書類名】明細書
【補正対象項目名】０００３
【補正方法】変更
【補正の内容】
【０００３】
車椅子に取り付けるテーブルに関しては、例えば、特許文献１には、車椅子に載せて使用する着脱式のテーブルであって、テーブルの全部をアームパイプに添わせて、車椅子本体フレームに付設した左右一対のスライドレールに掛止し、後部を左右のアームレストに係合して、前後スライド移動可能に装着したことを特徴とする車椅子用テーブルが記載されているが、テーブルの取り付けにスライドレールの付設が必要となり、テーブル取付作業が煩雑となる課題がある。
【手続補正２】
【補正対象書類名】明細書
【補正対象項目名】０００４
【補正方法】変更
【補正の内容】
【０００４】
特許文献２には、車椅子左右のアームレストに架設されて車椅子に設置される車椅子用テーブルであって、車椅子の使用者側に切欠部を設けたテーブル本体と、このテーブル本体の下面に取付けられ、前記左右のアームレストにそれぞれスライド係合する長尺状の係合レールを左右に備え、この左右の係合レールは、前記左右のアームレストの外方側で前記左右のアームレストの側面に沿う長尺状の側面ガイドと、この側面ガイドの下端部から延びて、前記左右のアームレストの下面に沿う下面ガイドとを、それぞれ備える車椅子用テーブルが記載されているが、側面ガイドの取り付けに、アームレストの幅に合う螺合穴に螺合設置と下面ガイドとアームレストの隙間調整を要し、更にテーブル面高さもアームレストの準ずる高さに限られ、椅子に座る際はテーブルを取り外す必要がある。
【手続補正３】
【補正対象書類名】明細書
【補正対象項目名】０００６
【補正方法】変更
【補正の内容】
【０００６】
本発明は、車椅子の肘掛部に載せて固定するテーブルにおいて、取り付けが容易で、車椅子の座部幅が若干異なっても取り付けが可能であり、更に車椅子への乗降の際にテーブルを取り外すことなく、テーブルの左右方向への回転移動により座面を開放する機能を備えた車椅子用着脱式テーブルを提供することを目的とする。
【手続補正４】
【補正対象書類名】明細書
【補正対象項目名】０００７
【補正方法】変更
【補正の内容】
【０００７】
本発明は、車椅子の両側の肘掛部の上方にその幅方向両側付近を位置させた状態で配置する板状のテーブル本体（１）と、
各々車椅子の両側の肘掛部上に配置し、各々一部に一端を結合した固定バンド（１２）で該各肘掛部に固定するように構成した長尺の一方の取付ガイド（２）及び短尺の他方の取付ガイド（３）と、
前記テーブル本体１の下面の幅方向両側の前後の部位に各々固設した軸受け（５）と、
前記取付ガイド（２、３）の上面の前後の部位に各々固設した軸受け（５）と、
Ｕ字形部又はコ字形部で繋いだ平行な二本の軸（６Ａ、６Ｂ）又は二本の軸（７Ａ、７Ｂ）からなる各々二つの２軸連結器（４Ａ、４Ｂ）であって、前者の各一方の軸（６Ａ）を前記テーブル本体１の下面の一側部に位置する前後の二つの軸受け（５）に、後者の各一方の軸（７Ａ）を他側部に位置する前後の二つの軸受け（５）に、それぞれ貫通嵌合させ、更に、前記一側部側の二つの２軸連結器（４Ａ）の各他方の軸（６Ｂ）を前記の一方の取付ガイド（２）の上面の前部又は後部に位置する各軸受け（５）に貫通嵌合させ、前記他側部側の二つの２軸連結器（４Ｂ）の各他方の軸（７Ｂ）を前記の他方の取付ガイド（３）の上面の前部又は後部に位置する各軸受け（５）に貫通嵌合させた各一対の２軸連結器（４Ａ、４Ｂ）と、
一方の二つの２軸連結器（４Ａ）の前記テーブル本体１の下面の一側部側の二つの軸受け（５）に貫通嵌合させた各軸（６Ａ）のＵ字形部又はコ字形部側の部位に固定状態に配した、前記軸受け（５）の対面する側に入り込み得る突起部を備えた押さえワッシャー（９）及び該各軸（６Ａ）の外端側に着脱自在に配した、該各軸受け（５）の対面する側に当接し得る受けワッシャー（１１）、並びに該各軸（６Ａ）の該各受けワッシャー（１１）より外側の部位の雄ねじ部に着脱自在に螺合した、前記各押さえワッシャー（９）と該各受けワッシャー（１１）とで該各軸受け（５）を挟んだ状態になるように締め付けるための各締め付けナット（８）と、
該一方の二つの２軸連結器（４Ａ）の前記一方の取付ガイド（２）の上面の二つの軸受け（５）に貫通嵌合させた各軸（６Ｂ）のＵ字形部又はコ字形部側の部位に固定状態に配した、前記軸受け（５）の対面する側に当接するスペースワッシャー１０及び該各軸（６Ｂ）の外端側に、該各軸受け（５）の対面する側に当接させる着脱自在に配した受けワッシャー（１１）、並びに該各軸（６Ｂ）の該各受けワッシャー（１１）より外側の部位の雄ねじ部に着脱自在に螺合した、前記各スペースワッシャー（１０）と該各受けワッシャー（１１）とで該各軸受け（５）を挟んだ状態になるように締め付けるための各締め付けナット（８）と、
他方の二つの２軸連結器（４Ｂ）の前記テーブル本体１の下面の他側部側の二つの軸受け（５）に貫通嵌合させた各軸（７Ａ）のＵ字形部又はコ字形部側の部位に固定状態に配した、前記各軸受け（５）の対面する側に入り込む突起部を備えた押さえワッシャー９及び該各軸（７Ａ）の外端側に着脱自在に配した、該各軸受け（５）の対面する側に当接し得る受けワッシャー１１、並びに該各軸（７Ａ）の該各受けワッシャー（１１）より外側の部位の雄ねじ部に着脱自在に螺合し、前記各押さえワッシャー（９）と該各受けワッシャー（１１）とで該各軸受け（５）を挟んだ状態になるように締め付けるための各締め付けナット（８）と、
該他方の二つの２軸連結器（４Ｂ）の前記他方の取付ガイド３の上面の二つの軸受け（５）に貫通嵌合させた各軸（７Ｂ）のＵ字形部又はコ字形部側の部位に固定状態に配した、前記各軸受け（５）の対面する側に入り込む突起部を備えた押さえワッシャー（９）及び該各軸（７Ｂ）の外端側に着脱自在に配した、該各軸受け（５）の対面する側に当接し得る各受けワッシャー（１１）、並びに該各軸（７Ｂ）の該各受けワッシャー（１１）より外側の部位の雄ねじ部に着脱自在に螺合し、前記各押さえワッシャー（９）と該各受けワッシャー（１１）とで該各軸受け（５）を挟んだ状態になるように締め付けるための各締め付けナット（８）と、
前記取付ガイド（２、３）に、これらを各々車椅子の肘掛部上に載せた場合に、その状態を固定すべく該肘掛部と共に巻き付けて固定するために、一端を該取付ガイド（２、３）に固定した固定バンド（１２）と、
で構成した車椅子用着脱式テーブルである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、これを車椅子にあらかじめ取り付けておけば、突起部を備えた押さえワッシャーを両軸に配した２軸連結器を取り付けた側の取付ガイドを該車椅子の肘掛部から外した上で、テーブル本体を、他方側の取付ガイドの軸受けに配した他方の２軸連結器の軸を中心に回転させて、該車椅子の該他方側の肘掛部の上方乃至外側に移動させることで、該車椅子に人が乗降することができるようになり、利便性が向上する。
【手続補正１０】
【補正対象書類名】明細書
【補正対象項目名】００１３
【補正方法】変更
【補正の内容】
【００１３】
なお、本発明の車椅子用着脱式テーブルは、以下のようにして対象の車椅子に取り付けることができる。
まず２軸連結器の軸の雄ねじ部に螺合してある締め付けナットを緩めた状態にしておき、その状態で、長尺の一方の取付ガイド（支点側となる取付ガイド）を、車椅子の対応する側の肘掛部上に載せ、該肘掛部に固定バンドを巻き付けて固定する。その後、双方の取付ガイドの間隔を適切に調節した上で、他方の取付ガイド（回転移動する側となる取付ガイド）を該車椅子の他方の肘掛部上に載せ、該肘掛部に固定バンドを巻き付けて両者を固定する。
なお、以上において、テーブル本体の下面両側に配した各二つの軸受けに挿入してある一方及び他方の２軸連結器の各軸は、前記のように、締め付けナットが緩めた状態にしてあり、それ故、回動自在となっているため、各軸を適切な角度に回転させて、一方と他方の取付ガイドの間隔を適切な間隔に設定することができる訳である。
以上のように、２軸連結器が幅の調節機能を有しているため、座幅が異なる（両側の肘掛部の間隔が異なる）車椅子であっても、既存の車椅子の寸法であれば、前記両側の取付ガイド間の間隔を調節して、すなわち、座幅を調節して両側の肘掛部に取り付けが可能である。
こうしてこの車椅子用着脱式テーブルを簡単に車椅子に取り付けることができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
【図１】実施例１の車椅子用着脱式テーブルの平面図。
【図２】実施例１の車椅子用着脱式テーブルの一部切欠側面図。
【図３】(a)は実施例１の車椅子用着脱式テーブルの一方の取付ガイドの平面図、(b)は一方の取付ガイドの側面図、(c)は実施例１の車椅子用着脱式テーブルの他方の取付ガイドの平面図、(d)は他方の取付ガイドの側面図。
【図４】(a)は実施例１の車椅子用着脱式テーブルの一方の２軸連結器の平面図、(b)は他方の２軸連結器の平面図。
【図５】実施例１の車椅子用着脱式テーブルを車椅子に取り付けた状態の正面図。
【図６】車椅子に取り付けた車椅子用着脱式テーブルのテーブル本体を一方の肘掛部の上方付近まで回転移動させた状態の正面図。
【手続補正１３】
【補正対象書類名】明細書
【補正対象項目名】００１６
【補正方法】変更
【補正の内容】
【００１６】
以下、本発明の車椅子用着脱式テーブルを実施するための形態を図面を参照しながら実施例に基づいて説明する。
【手続補正１４】
【補正対象書類名】明細書
【補正対象項目名】００１７
【補正方法】変更
【補正の内容】
【００１７】
この実施例の車椅子用着脱式テーブルは、図１、図５及び図６に示すように、基本的に、板状のテーブル本体１と、一方及び他方の取付ガイド２、３と、前記テーブル本体１の下面の幅方向両側の前後の部位に各々固設した各二つの軸受け５と、前記一方及び他方の取付ガイド２、３の上面の前後に各々固設した軸受け５と、一方及び他方の各二つの２軸連結器４Ａ、４Ｂと、該一方及び他方の２軸連結器４Ａ、４Ｂに配する３個の押さえワッシャー９と、一個のスペースワッシャー１０と、四個の受けワッシャー１０と、四個の締め付けナット８と、三本の固定バンド１２とで構成したものであり、前記テーブル本体１と前記取付ガイド２、３とを、３個の押さえワッシャー９と一個のスペースワッシャー１０と四個の受けワッシャー１０と四個の締め付けナット８と２軸連結器４Ａ、４Ｂとをもって連結させたものであり、車椅子の一方の肘掛部にこの車椅子用着脱式テーブルの一方の取付ガイド２を載せて固定バンドで締め付け固定し、次に他方の肘掛部に他方の取付ガイド３を載せて固定バンドで締め付け固定して使用するものである。
【手続補正１５】
【補正対象書類名】明細書
【補正対象項目名】００１８
【補正方法】変更
【補正の内容】
【００１８】
前記一方及び他方の取付ガイド２、３は、図１〜図３に示すように、そのうち前者の一方の取付ガイド２を長尺に、後者の他方の取付ガイド３をそれより短い短尺に構成したものである。なお、図１及び図２に示すように、他方の短尺の取付ガイド３であっても、前記テーブル本体１の奥行き方向の長さ寸法より僅かに長い長さ寸法に構成し、前記一方の長尺の取付ガイド２は、同図に示すように、該テーブル本体１の奥行き方向の長さ寸法を十分に越える長さ寸法に構成する。
テーブル本体１と以上の取付ガイド２、３との組み立ては、テーブル本体１を車椅子への乗り降りの際に座部上から避けておくための側方への回転移動時の支点となる側に前記一方の長尺の取付ガイド２を、回動移動する側に前記他方の短尺の取付ガイド３を取り付ける。テーブル本体１の両側下面には、図２、図５及び図６に示すように、その前後の部位に一個ずつ軸受け５を取り付け、かつ長尺及び短尺の取付ガイド２、３の各々後部側上面にテーブル本体１の両側部下面の前後の両軸受け５間と同一の間隔で各々二つの軸受け５を取り付ける。
そしてテーブル本体１の前記回転移動時の支点となる側の側部下面には、前記一方の二つの長尺の２軸連結器４Ａ、該テーブル本体１の該当する側部下面に取り付けた二つの軸受け５及び該長尺の取付ガイド２の上面に取り付けた二つの軸受け５を介して該長尺の取付ガイド２を取り付ける。
またテーブル本体１の前記回転移動時の支点となる側と反対側下面には、前記他方の二つの２軸連結器４Ｂ、該テーブル本体１の該当する側の下面に取り付けた二つの軸受け５及び前記他方の短尺の取付ガイド３の上面に取り付けた二つの軸受け５を介して該短尺の取付ガイド３を取り付ける。
【手続補正１６】
【補正対象書類名】明細書
【補正対象項目名】００１９
【補正方法】変更
【補正の内容】
【００１９】
前記軸受け５は、例えば、図２、図３、図５及び図６に示すように、矩形の立方体で構成され、中心部に貫通する孔を設け、この孔を両２軸連結器４Ａ、４Ｂの各軸６Ａ、６Ｂ、７Ａ、７Ｂが貫通されるように構成されている。軸受け５のテーブル本体１の側部下面又は取付ガイド２、３の上面への固定は、接着剤、ネジなどを利用することができる。
【手続補正１７】
【補正対象書類名】明細書
【補正対象項目名】００２０
【補正方法】変更
【補正の内容】
【００２０】
前記各軸受け５への前記２軸連結器４Ａ、４Ｂの取付は、それぞれ該当する軸受け５の孔に該当する２軸連結器４Ａ、４Ｂの軸６Ａ、６Ｂを通し、締め付けナット８で締め付け固定する。
テーブル本体１の前記回転移動時の支点となる側に用いる一方の２軸連結器４Ａは、特に図４(a)に示すように、この実施例１では、一端をＵ字形部で繋いだ平行な二本の軸６Ａ、６Ｂと、その一方の軸６ＡのＵ字形部側に固設した押さえワッシャー９と、外端側に着脱自在に配した受けワッシャー１１と、更にその外側の雄ねじ部に着脱自在に螺合した締め付けナット８と、他方の軸６ＢのＵ字形部側に固設したスペースワッシャー１０と、外端側に着脱自在に配した受けワッシャー１１と、更にその外側の雄ねじ部に着脱自在に螺合した締め付けナット８とで構成したものである。
テーブル本体１の前記回転移動時の支点となる側と反対側（移動側）に用いる２軸連結器４Ｂは、特に図４(b)に示すように、この実施例１では、一端をＵ字形部で繋いだ平行な二本の軸７Ａ、７Ｂと、その各々の軸７Ａ、７ＢのＵ字形部側に固設した各押さえワッシャー９と、各々の軸７Ａ、７Ｂの外端側に着脱自在に配した受けワッシャー１１と、更にそれらの外側の雄ねじ部に各々着脱自在に螺合した締め付けナット８とで構成したものである。
なお、前記各押さえワッシャー９には、それぞれ前記軸受け５の対面する側に入り込み得る突起部を備えてあり、この突起部が該軸受け５の対面する側に入り込んだ状態となることにより、該各押さえワッシャ９ーを固設した軸６Ａ、７Ａ、７Ｂは回転が防止されることになる。
前記一方の二つの２軸連結器４Ａは、図２、図５及び図６に示すように、それらの各一方の軸６Ａを、締め付けナット８及び受けワッシャー１１を取り外した状態で、テーブル本体１の回転移動時の支点となる側の側部下面の二つの軸受け５の各々に挿入し、それぞれ外端側から該受けワッシャー１１を外装し、かつ該締め付けナット８を堅く締め付けない程度に螺合しておく。他方の二つの軸６Ｂは、各々締め付けナット８及び受けワッシャー１１を取り外した状態で、長尺の前記取付ガイド２の上面の二つの軸受け５に挿入し、各々外端側から該受けワッシャー１１を外装し、かつ該締め付けナット８を堅く締め付けない程度に螺合しておく。
また前記他方の二つの２軸連結器４Ｂは、図２、図５及び図６に示すように、それらの一方の軸７Ａを、締め付けナット８及び受けワッシャー１１を取り外した状態で、テーブル本体１の回転移動時の支点となる側と反対側(移動側)の側部下面に配した各軸受け５に挿入し、各々外端側から該受けワッシャー１１を外装し、かつ該締め付けナット８を堅く締め付けない程度に螺合しておく。他方の二つの軸７Ｂは、締め付けナット８及び受けワッシャー１１を取り外した状態で、前記短尺の取付ガイド３の上面の各軸受け５に挿入し、各々外端側から該受けワッシャー１１を外装し、かつ該締め付けナット８を堅く締め付けない程度に螺合しておく。
この状態で、例えば、図５に示すように、両側の取付ガイド２、３の各々を取付対象の車椅子の肘掛部の間隔に一致する間隔に開くように、テーブル本体１に対する両側下方の２軸連結器４Ａと４Ｂとの開き角度を一定に設定した上で、それぞれの軸６Ａ、６Ｂ、７Ａ、７Ｂの外端側の雄ねじ部に螺合した締め付けナット８を締め付けると、該各軸６Ａ、６Ｂ、７Ａ、７Ｂにおいて、Ｕ字状部側の押さえワッシャー９又はスペースワッシャー１０と外端側の各受けワッシャー１１とにより該各軸受け５を強く挟持し、スペースワッシャー１０を配した軸６Ｂ以外の軸６Ａ、７Ａ、７Ｂは、前記各押さえワッシャー９の突起部が該各対応する軸受け５の対面する側に入り込むため、該各軸受け５中で回動不能となり、取付ガイド２、３が前記のように所定の間隔に開いた状態が保持されることになる。こうして、後述し、かつ図５に示すように、取付ガイド２、３を車椅子の肘掛部に取り付けた場合に、軸６Ａ、７Ａ、７Ｂの回動を防止し、テーブル本体１の位置を安定的に維持することが可能となる。また、スペースワッシャー１０には、前記のように、突起部を設けず軸６Ｂとの回動を可能にすることで、取付ガイド３を対応する車椅子の肘掛部から取り外せば、前記支点となる側の２軸連結器４Ａの各軸６Ｂを支点として、図６に示すように、テーブル本体１の回転移動が可能となるよう構成している。
【手続補正１８】
【補正対象書類名】明細書
【補正対象項目名】００２１
【補正方法】変更
【補正の内容】
【００２１】
前記のように、前記一方の２軸連結器４Ａの取付ガイド２側の軸６Ｂは、締め付けナット８を締め付けても、スペースワッシャー１０に突起部が構成していないので、該一方の取付ガイド２の上面の軸受け５に対して、回動可能であり、前記のように、テーブル本体１を回動移動させることができるが、他の軸６Ａ、及び他方の２軸連結器４Ｂの軸７Ａ、７Ｂに固設した押さえワッシャー９には複数個所に突起部を設け、この突起部が他方の取付ガイド３の上面の軸受け５の対面する側に入り込むことで、それらの軸６Ａ、７Ａ、７Ｂの回動を防止し、テーブル本体１の位置を安定的に維持することが可能となる。他方の２軸連結器４Ｂが設置される側は、回転移動時の移動側となるため、二つの軸７Ａ、７Ｂ共にテーブル本体１側下面及び取付ガイド３側上面の各軸受け５に固定される構成としている。
【手続補正１９】
【補正対象書類名】明細書
【補正対象項目名】００２２
【補正方法】変更
【補正の内容】
【００２２】
この車椅子用着脱式テーブルを車椅子に取り付けるには、前記のように、２軸連結器４Ａ、４Ｂの雄ねじ部に螺合してある締め付けナット８を緩めた状態にしておき、その状態で、支点側となる長尺の取付ガイド２を、車椅子の対応する側の肘掛部上に載せ、該取付ガイド２と該肘掛部を固定バンド１２を該肘掛部に巻き付けて固定する。その後に両取付ガイド２、３の間隔を適切に調節して回転移動する側の短尺の取付ガイド３を、該車椅子の他方の肘掛部に載せた上で、該肘掛部と該短尺の取付ガイド３とを該肘掛部に固定バンドを巻き付けて固定する。
テーブル本体１の下面両側に配した軸受け５に挿入してある両２軸連結器４Ａ、４Ｂの軸６Ａ、７Ａは、以上の状態で回動自在となっているから、それぞれを適切な角度に回転させて、取付ガイド２、３の間隔を適切に設定することができる。また両取付ガイド２、３の各軸受け５に挿入してある６Ｂ、７Ｂも、以上の状態で回動自在となっているから、両取付ガイド２、３の角度も自在に設定可能となっており、問題なく適切な角度で各肘掛部に取り付けることができる。
【手続補正２０】
【補正対象書類名】明細書
【補正対象項目名】００２３
【補正方法】変更
【補正の内容】
【００２３】
以上のように、車椅子の肘掛部に取付ガイド２、３を固定した車椅子用着脱式テーブルは、２軸連結器４Ａ、４Ｂの各軸６Ａ、６Ｂ、７Ａ、７Ｂがテーブル本体１の下面両側部及び取付ガイド２、３の上面に固定した各軸受け５に挿入はしてあるが固定はされていない状態であるため、この状態では、テーブル本体１は不安定である。そこで、この後、該テーブル本体１を該車椅子の座部中央上部に位置するように該テーブル本体１を左右に移動調整後、各締め付けナット８を締め付けて固定する。前記のように、こうして各締め付けナット８を締め付けると、前記押さえワッシャー９の作用で、支点側に対応するテーブル本体１の下面側部に固設した各軸受け５に挿入した軸６Ａ、該テーブル本体１の反対側下面に固設した各軸受け５に挿入した軸７Ａ及び対応する側の取付ガイド３に固設した各軸受け５に挿入した軸７Ｂはそれぞれ固定状態となり、図５に示したテーブル本体１の状態は固定保持されることになる。支点側の取付ガイド２に固設した各軸受け５に挿入してある軸６Ｂは回動自在な状態であるが、以上のテーブル本体１の固定には問題ない。
【手続補正２１】
【補正対象書類名】明細書
【補正対象項目名】００２４
【補正方法】変更
【補正の内容】
【００２４】
車椅子にこの車椅子用着脱式テーブルの取り付けが完了すると、車椅子の座部への乗降がテーブル本体１により阻害されるため、短尺の取付ガイド３の固定バンド１２を外し、図６に示すように、テーブル本体１を、支点側の各２軸連結器４Ａの軸６Ｂを中心に回転移動して該座部を開放する。次に利用者は該車椅子の座部に座り、その後、テーブル本体１を回転移動して図５に示す状態に戻し、固定バンド１２にてこうして肘掛部に載った移動側の短尺の取付ガイド３を該肘掛部に固定する。
【手続補正２２】
【補正対象書類名】明細書
【補正対象項目名】００２５
【補正方法】変更
【補正の内容】
【００２５】
テーブル本体１はその上面に物などを載せることができる、車椅子は、この車椅子用着脱式テーブルを取り付けた状態で自走又は移動を行うことができる。
【手続補正２３】
【補正対象書類名】明細書
【補正対象項目名】００２６
【補正方法】変更
【補正の内容】
【００２６】
車椅子の座部の幅は車椅子の製造会社や品種によって複数のサイズがあり、座部の幅が異ると両側の肘掛部間の幅も異なる。現状はそのサイズが３８ｃｍから４２ｃｍまでの複数種があるが、２軸連結器４Ａ、４Ｂの前記幅調整機能、すなわち、テーブル本体１の下面両側に固設した各軸受け５に挿入した各軸６Ａ、７Ａを回動させることで、他方の軸６Ｂ、７Ｂ及び軸受け５を介して結合した両取付ガイド２、３間の間隔を拡縮させることができる機能により両側の肘掛部間の幅の違いにも順応させることができる。
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】変更
【補正の内容】
【００２８】
本発明の車椅子用着脱式テーブルは、工業生産が可能であり、完成した製品は、医療施設や介護施設での利用が可能である。
【手続補正２６】
【補正対象書類名】明細書
【補正対象項目名】００２９
【補正方法】変更
【補正の内容】
【００２９】
１    テーブル本体
２    取付ガイド（長尺）
３    取付ガイド（短尺）
４Ａ  ２軸連結器（支点側）
４Ｂ  ２軸連結器（移動側）
５    軸受け
６Ａ  軸
６Ｂ  軸（支点側）
７Ａ  軸
７Ｂ  軸
８    締め付けナット
９    押さえワッシャー
１０  スペースワッシャー
１１  受けワッシャー
１２  固定バンド
【手続補正２７】
【補正対象書類名】特許請求の範囲
【補正対象項目名】全文
【補正方法】変更
【補正の内容】
【特許請求の範囲】
【請求項１】
車椅子の両側の肘掛部の上方にその幅方向両側付近を位置させた状態で配置する板状のテーブル本体（１）と、
各々車椅子の両側の肘掛部上に配置し、各々一部に一端を結合した固定バンド（１２）で該各肘掛部に固定するように構成した長尺の一方の取付ガイド（２）及び短尺の他方の取付ガイド（３）と、
前記テーブル本体１の下面の幅方向両側の前後の部位に各々固設した軸受け（５）と、
前記取付ガイド（２、３）の上面の前後の部位に各々固設した軸受け（５）と、
Ｕ字形部又はコ字形部で繋いだ平行な二本の軸（６Ａ、６Ｂ）又は二本の軸（７Ａ、７Ｂ）からなる各々二つの２軸連結器（４Ａ、４Ｂ）であって、前者の各一方の軸（６Ａ）を前記テーブル本体１の下面の一側部に位置する前後の二つの軸受け（５）に、後者の各一方の軸（７Ａ）を他側部に位置する前後の二つの軸受け（５）に、それぞれ貫通嵌合させ、更に、前記一側部側の二つの２軸連結器（４Ａ）の各他方の軸（６Ｂ）を前記の一方の取付ガイド（２）の上面の前部又は後部に位置する各軸受け（５）に貫通嵌合させ、前記他側部側の二つの２軸連結器（４Ｂ）の各他方の軸（７Ｂ）を前記の他方の取付ガイド（３）の上面の前部又は後部に位置する各軸受け（５）に貫通嵌合させた各一対の２軸連結器（４Ａ、４Ｂ）と、
一方の二つの２軸連結器（４Ａ）の前記テーブル本体１の下面の一側部側の二つの軸受け（５）に貫通嵌合させた各軸（６Ａ）のＵ字形部又はコ字形部側の部位に固定状態に配した、前記軸受け（５）の対面する側に入り込み得る突起部を備えた押さえワッシャー（９）及び該各軸（６Ａ）の外端側に着脱自在に配した、該各軸受け（５）の対面する側に当接し得る受けワッシャー（１１）、並びに該各軸（６Ａ）の該各受けワッシャー（１１）より外側の部位の雄ねじ部に着脱自在に螺合した、前記各押さえワッシャー（９）と該各受けワッシャー（１１）とで該各軸受け（５）を挟んだ状態になるように締め付けるための各締め付けナット（８）と、
該一方の二つの２軸連結器（４Ａ）の前記一方の取付ガイド（２）の上面の二つの軸受け（５）に貫通嵌合させた各軸（６Ｂ）のＵ字形部又はコ字形部側の部位に固定状態に配した、前記軸受け（５）の対面する側に当接するスペースワッシャー１０及び該各軸（６Ｂ）の外端側に、該各軸受け（５）の対面する側に当接させる着脱自在に配した受けワッシャー（１１）、並びに該各軸（６Ｂ）の該各受けワッシャー（１１）より外側の部位の雄ねじ部に着脱自在に螺合した、前記各スペースワッシャー（１０）と該各受けワッシャー（１１）とで該各軸受け（５）を挟んだ状態になるように締め付けるための各締め付けナット（８）と、
他方の二つの２軸連結器（４Ｂ）の前記テーブル本体１の下面の他側部側の二つの軸受け（５）に貫通嵌合させた各軸（７Ａ）のＵ字形部又はコ字形部側の部位に固定状態に配した、前記各軸受け（５）の対面する側に入り込む突起部を備えた押さえワッシャー９及び該各軸（７Ａ）の外端側に着脱自在に配した、該各軸受け（５）の対面する側に当接し得る受けワッシャー１１、並びに該各軸（７Ａ）の該各受けワッシャー（１１）より外側の部位の雄ねじ部に着脱自在に螺合し、前記各押さえワッシャー（９）と該各受けワッシャー（１１）とで該各軸受け（５）を挟んだ状態になるように締め付けるための各締め付けナット（８）と、
該他方の二つの２軸連結器（４Ｂ）の前記他方の取付ガイド３の上面の二つの軸受け（５）に貫通嵌合させた各軸（７Ｂ）のＵ字形部又はコ字形部側の部位に固定状態に配した、前記各軸受け（５）の対面する側に入り込む突起部を備えた押さえワッシャー（９）及び該各軸（７Ｂ）の外端側に着脱自在に配した、該各軸受け（５）の対面する側に当接し得る各受けワッシャー（１１）、並びに該各軸（７Ｂ）の該各受けワッシャー（１１）より外側の部位の雄ねじ部に着脱自在に螺合し、前記各押さえワッシャー（９）と該各受けワッシャー（１１）とで該各軸受け（５）を挟んだ状態になるように締め付けるための各締め付けナット（８）と、
前記取付ガイド（２、３）に、これらを各々車椅子の肘掛部上に載せた場合に、その状態を固定すべく該肘掛部と共に巻き付けて固定するために、一端を該取付ガイド（２、３）に固定した固定バンド（１２）と、
で構成した車椅子用着脱式テーブル。
【手続補正２９】
【補正対象書類名】図面
【補正対象項目名】図３
【補正方法】変更
【補正の内容】
【図３】
2015084802.tif 000009
【手続補正３０】
【補正対象書類名】図面
【補正対象項目名】図４
【補正方法】変更
【補正の内容】
【図４】
2015084802.tif 000010
【手続補正書】
【提出日】平成26年4月16日(2014.4.16)
【手続補正１】
【補正対象書類名】明細書
【補正対象項目名】全文
【補正方法】変更
【補正の内容】
【発明の詳細な説明】
【技術分野】
【０００１】
本発明は、車椅子に設置される車椅子用着脱式テーブルに関する。
【背景技術】
【０００２】
車椅子利用時に、食事や軽作業、読書などをする際には、脚の上を利用するなどにより、傾いた姿勢を続けることによる疲労や、食事や作業のし難くさなどから、車椅子に取り付けられるテーブルが、利用者から要望されている。
【０００３】
車椅子に取り付けるテーブルに関しては、例えば、特許文献１には、車椅子に載せて使用する着脱式のテーブルであって、テーブルの前部をアームパイプに添わせて、車椅子本体フレームに付設した左右一対のスライドレールに掛止し、後部を左右のアームレストに係合して、前後スライド移動可能に装着したことを特徴とする車椅子用テーブルが記載されているが、テーブルの取り付けにスライドレールの付設が必要となり、テーブル取り付け作業が煩雑となる課題がある。
【０００４】
特許文献２には、車椅子左右のアームレストに架設されて車椅子に設置される車椅子用テーブルであって、車椅子の使用者側に切欠部を設けたテーブル本体と、このテーブル本体の下面に取付けられ、前記左右のアームレストにそれぞれスライド係合する長尺状の係合レールを左右に備え、この左右の係合レールは、前記左右のアームレストの外方側で前記左右のアームレストの側面に沿う長尺状の側面ガイドと、この側面ガイドの下端部から延びて、前記左右のアームレストの下面に沿う下面ガイドとを、それぞれ備える車椅子用テーブルが記載されているが、側面ガイドの取り付けに、アームレストの幅に合う螺合穴に螺合設置と下面ガイドとアームレストの隙間調整を要し、更にテーブル面高さもアームレストに準ずる高さに限られ、椅子に座る際はテーブルを取り外す必要がある。
【先行技術文献】
【特許文献】
【０００５】
【特許文献１】特開２００７−６９２５号公報（図１、図４）
【特許文献２】特開２０１３−１１１０９１号公報（図６）
【発明の概要】
【発明が解決しようとする課題】
【０００６】
車椅子の肘掛部に載せて固定するテーブルにおいて、取り付けが容易で、従来なかったテーブル面の高さ調整機能と、車椅子へ乗降の際にテーブルを取り外すことなく、テーブルの回転移動により座面を開放する機能を備えた車椅子用テーブルを提供することを目的とする。
【課題を解決するための手段】
【０００７】
テーブル本体を車椅子に設置し固定させるための取付ガイドを設け、テーブル本体と取付ガイドとを、２つの軸を持つ連結器（２軸連結器）をもって連結し、テーブルと取付ガイドを一体化する。
【０００８】
テーブル本体裏面には、２軸連結器を取り付けるための軸受けを、左端部の前後に２箇所設け、更に右端部にも同様に２箇所設けて、計４箇所を設ける。
【０００９】
車椅子への乗降時の座面開放には、テーブルの回転移動を行うために、左右に用いる取付ガイドの一方を他の一方より長さを短くし、長い方を支点側とし、短い方を移動側とする。各々の取付ガイドの上面には、２軸連結器と連結するための軸受けを前後２箇所設け、取付位置はテーブルに設けた軸受けの位置と合致するようにする。
【００１０】
２軸連結器は両端にネジ加工を施しコの字状、又はＵの字状に成形して２軸を構成している。２軸連結器の軸間の長さを任意に調整又は選択することで、テーブル面の高さを任意に調整又は選択することができる。
【００１１】
２軸連結器の構造は、前記コの字状又はＵの字状に代えて、軸支えプレートを利用し、当該軸支えプレートに複数の軸差込口を設け、必要な軸間長さに応じてＡ軸及びＢ軸を差込み、ナットで締め付け固定した構造を採用することもできる。
【発明の効果】
【００１２】
本発明により車椅子にあらかじめテーブルを取り付けておけば、テーブルを回転移動することで、乗降することができ、利便性が向上する。
【００１３】
座幅が異なる車椅子であっても、２軸連結器が幅の調節機能を有しているため、既存の車椅子の寸法であれば、取付が可能である。
【００１４】
２軸連結器の軸間の長さを任意に調整又は選択することで、テーブル面の高さを任意に調整又は選択することも可能である。
【図面の簡単な説明】
【００１５】
【図１】テーブルの一例の平面図
【図２】テーブルの一例の側面図
【図３】取付ガイドの一例の平面図と側面図
【図４】２軸連結器の一例の平面図
【図５】車椅子肘掛部にテーブルを取り付けた一例の正面図
【図６】テーブルを回転移動させた状態の正面図
【発明を実施するための形態】
【００１６】
以下、図を用いて車椅子用テーブル（以降、テーブルと称する場合がある）を例示説明する。
【実施例１】
【００１７】
テーブル本体１と取り付けガイド２及び３とを、２軸連結器４Ａ、４Ｂをもって連結させ、組み立てが完成した後に、車椅子肘掛部にテーブルを載せ、取り付けガイドを肘掛部に取り付け固定バンドで締め付け固定する。
【００１８】
テーブル本体１と取付ガイドとの組み立ては、テーブルを回転移動時の支点となる側に取付ガイド２を、移動する側に取付ガイド３を取り付け、支点となる側に２軸連結器４Ａを、移動する側に２軸連結器４Ｂを用い、テーブルに備えた軸受５と、取付ガイドに備えた軸受５に２軸連結器の軸６Ａ，６Ｂ、７Ａ、７Ｂ各々の軸を差込み、固定ナットにて仮止めをしておく。
【００１９】
軸受５は、例えば矩形の立方体で構成され、中心部に孔を設け２軸連結器４Ａ、４Ｂの軸が貫通されるように構成されている。軸受のテーブル又は取付ガイドへの固定は、接着剤、ネジなどを利用することができる。
【００２０】
軸受への２軸連結器の取付は、軸受の孔に２軸連結器の軸を通し、ナットで固定するものであるが、２軸連結器Ａには、手前のナット側調整軸６Ａに受けワッシャー１１を設け、奥側の一方には押さえワッシャー９を、もう一方の調整軸６Ｂにはスペースワッシャー１０が設けられている。押さえワッシャー９とスペースワッシャー１０は、調整軸６Ａ、６Ｂに回動不動に固定されており、ナット８を締め付けることで、受けワッシャー１１と押さえワッシャー９にて、もう一方の受けワッシャー１１とスペースワッシャー１０において、軸受を挟み込んで軸受に固定される。また、押さえワッシャー９には複数個所の突起部を設け、この突起部が軸受に入り込むことで、軸の回動を防止しテーブルの位置を安定的に維持することが可能となる。また、スペースワッシャー１０には、突起部を設けず軸との回動を可能にすることで、当該軸を支点としてテーブルの回転移動が可能となるよう構成している。
【００２１】
２軸連結器Ｂには、手前のナット側調整軸７Ａに受けワッシャー１１を設け、奥側には押さえワッシャー９を設け、もう一方の調整軸７Ｂにも同様に、手前のナット側軸に受けワッシャー１１を設け、奥側には押さえワッシャー９を設ける。押さえワッシャー９は、調整軸７Ａ，７Ｂに回動不動に固定されており、ナット８を締め付けることで、受けワッシャー１１と押さえワッシャー９にて、軸受を挟み込んで軸受に固定される。また、押さえワッシャー９には複数個所の突起部を設け、この突起部が軸受に入り込むことで、軸の回動を防止しテーブルの位置を安定的に維持することが可能となる。２軸連結器Ｂが設置される側は、回転移動時の移動側となるため、２軸共軸受に固定される構成としてる。
【００２２】
テーブル１を車椅子に取り付けるには、取付ガイドの仮止めが完了したテーブルを椅子の肘掛にのせ、左右の取付ガイドが肘掛部の真上になるように、テーブルを回転移動の支点となる側の取付ガイド２と車椅子肘掛部を固定バンドにより固定する。その後に移動する側の取付ガイド３を、車椅子肘掛部の真上になるよう、取付ガイドを左右に移動調整し、移動する側の取付ガイド３と車椅子肘掛部を固定バンドで固定する。
【００２３】
車椅子に固定されたテーブル１は、２軸連結器が仮止めの状態であるため、テーブルが椅子の中央になるようテーブルを左右に移動調整後、ナット８を締め付けて固定する。
【００２４】
車椅子にテーブル１の取り付けが完了すると、車椅子への乗降がテーブル１により閉ざされるため、取付ガイド３の固定バンドを外し、テーブル１を回転移動して車椅子座面を開放する。次に車椅子に座りテーブル１を回転移動して戻し、固定バンドにて肘掛部に取付ガイドを固定する。
【００２５】
テーブル１は上面に物などを載せることができる、車椅子にテーブルを取り付けた状態で自走又は移動を行うことができる。
【００２６】
車椅子の座幅は車椅子の製造会社や品種によって複数のサイズがあり、座幅が異ると肘掛幅も異なる。現状はそのサイズが３８ｃｍから４２ｃｍまであるが、２軸連結器の幅調整機能により肘掛の幅の違いにも順応したテーブルを提供することができる。  
【実施例２】
【００２７】
２軸連結器の構造は、図示しないがコの字状又はＵの字状に代えて、軸支えプレートを利用し、当該軸支えプレートに複数の軸差込口を設け、必要な軸間長さに応じてＡ軸及びＢ軸を差込み、ナットで締め付け固定した構造を採用することもできる。
【産業上の利用可能性】
【００２８】
本テーブルは、工業生産が可能であり、完成した製品は、医療施設や介護施設での利用が可能である。
【符号の説明】
【００２９】
１  テーブル本体
２  取付ガイド（長尺）
３  取付ガイド（短尺）
４Ａ  ２軸連結器（支点側）
４Ｂ  ２軸連結器（移動側）
５  軸受け
６Ａ  調整軸兼支点軸
６Ｂ  調整軸
７Ａ  調整軸
７Ｂ  調整軸
８  締め付けナット
９  押さえワッシャー
１０  スペースワッシャー
１１  受けワッシャー
１２  固定バンド
【手続補正２】
【補正対象書類名】特許請求の範囲
【補正対象項目名】全文
【補正方法】変更
【補正の内容】
【特許請求の範囲】
【請求項１】
車椅子の両側の肘掛部の上方にその幅方向両側付近を位置させた状態で配置する板状のテーブル本体（１）と、
各々車椅子の両側の肘掛部上に配置し、各々一部に一端を結合した固定バンド（１２）で該各肘掛部に固定するように構成した長尺の一方の取付ガイド（２）及び短尺の他方の取付ガイド（３）と、
前記テーブル本体１の下面の幅方向両側の前後の部位に各々固設した軸受け（５）と、
前記取付ガイド（２、３）の上面の、前記テーブル本体１の下面に固設した軸受け（５）と上下対応する前後の部位に各々固設した軸受け（５）と、
Ｕ字形部又はコ字形部で繋いだ平行な二本の軸（６Ａ、６Ｂ）又は二本の軸（７Ａ、７Ｂ）からなる各々二つの２軸連結器（４Ａ、４Ｂ）であって、前者の各一方の軸（６Ａ）を前記テーブル本体１の下面の一側部に位置する前後の二つの軸受け（５）に、後者の各一方の軸（７Ａ）を他側部に位置する前後の二つの軸受け（５）に、それぞれ貫通嵌合させ、更に、前記一側部側の二つの２軸連結器（４Ａ）の各他方の軸（６Ｂ）を前記の一方の取付ガイド（２）の上面の前部又は後部に位置する各軸受け（５）に貫通嵌合させ、前記他側部側の二つの２軸連結器（４Ｂ）の各他方の軸（７Ｂ）を前記の他方の取付ガイド（３）の上面の前部又は後部に位置する各軸受け（５）に貫通嵌合させた各一対の２軸連結器（４Ａ、４Ｂ）と、
一方の二つの２軸連結器（４Ａ）の前記テーブル本体（１）の下面の一側部側の二つの軸受け（５）に貫通嵌合させた各軸（６Ａ）のＵ字形部又はコ字形部側の部位に固定状態に配した、前記軸受け（５）の対面する側に入り込み得る突起部を備えた押さえワッシャー（９）及び該各軸（６Ａ）の外端側に着脱自在に配した、該各軸受け（５）の対面する側に当接し得る受けワッシャー（１１）、並びに該各軸（６Ａ）の該各受けワッシャー（１１）より外側の部位の雄ねじ部に着脱自在に螺合した各締め付けナット（８）であって、前記各押さえワッシャー（９）と該各受けワッシャー（１１）とで該各軸受け（５）を挟んだ状態になるように締め付けるための各締め付けナット（８）と、
該一方の二つの２軸連結器（４Ａ）の前記一方の取付ガイド（２）の上面の二つの軸受け（５）に貫通嵌合させた各軸（６Ｂ）のＵ字形部又はコ字形部側の部位に固定状態に配した、前記軸受け（５）の対面する側に当接するスペースワッシャー１０及び該各軸（６Ｂ）の外端側に、該各軸受け（５）の対面する側に当接させる着脱自在に配した受けワッシャー（１１）、並びに該各軸（６Ｂ）の該各受けワッシャー（１１）より外側の部位の雄ねじ部に着脱自在に螺合した各締め付けナット（８）であって、前記各スペースワッシャー（１０）と該各受けワッシャー（１１）とで該各軸受け（５）を挟んだ状態になるように締め付けるための各締め付けナット（８）と、
他方の二つの２軸連結器（４Ｂ）の前記テーブル本体１の下面の他側部側の二つの軸受け（５）に貫通嵌合させた各軸（７Ａ）のＵ字形部又はコ字形部側の部位に固定状態に配した、前記各軸受け（５）の対面する側に入り込む突起部を備えた押さえワッシャー９及び該各軸（７Ａ）の外端側に着脱自在に配した、該各軸受け（５）の対面する側に当接し得る受けワッシャー１１、並びに該各軸（７Ａ）の該各受けワッシャー（１１）より外側の部位の雄ねじ部に着脱自在に螺合した各締め付けナット（８）であって、前記各押さえワッシャー（９）と該各受けワッシャー（１１）とで該各軸受け（５）を挟んだ状態になるように締め付けるための各締め付けナット（８）と、
該他方の二つの２軸連結器（４Ｂ）の前記他方の取付ガイド３の上面の二つの軸受け（５）に貫通嵌合させた各軸（７Ｂ）のＵ字形部又はコ字形部側の部位に固定状態に配した、前記各軸受け（５）の対面する側に入り込む突起部を備えた押さえワッシャー（９）及び該各軸（７Ｂ）の外端側に着脱自在に配した、該各軸受け（５）の対面する側に当接し得る各受けワッシャー（１１）、並びに該各軸（７Ｂ）の該各受けワッシャー（１１）より外側の部位の雄ねじ部に着脱自在に螺合した各締め付けナット（８）であって、前記各押さえワッシャー（９）と該各受けワッシャー（１１）とで該各軸受け（５）を挟んだ状態になるように締め付けるための各締め付けナット（８）と、
前記取付ガイド（２、３）に、これらを各々車椅子の肘掛部上に載せた場合に、その状態を該肘掛部と共に巻き付けて固定するために、一端を該取付ガイド（２、３）に固定した固定バンド（１２）と、
で構成した車椅子用着脱式テーブル。